(57)【特許請求の範囲】
【請求項１】
ネットワークノード（６００；７００）により、前記ネットワークノードによりサーブされている少なくとも１つのクライアントデバイス（８００；９００）にメッセージをブロードキャストするために遂行される方法であって、
−  少なくとも１つのクライアントデバイスに、第１のメッセージを、第１のビーム掃引パターンを使用して前記第１のメッセージを送信することによりブロードキャストすること（３０２）であって、前記第１のビーム掃引パターンの、各々のビームは、ビームインデックス番号を有する、ブロードキャストすること（３０２）と、
−  前記少なくとも１つのクライアントデバイスに、第２のメッセージを、第２のビーム掃引パターンを使用して前記第２のメッセージを送信することによりブロードキャストすること（３０４）であって、前記第２のビーム掃引パターンの、各々のビームは、ビームインデックス番号を有し、前記第２のビーム掃引パターンは、前記第１のビーム掃引パターンと関連付けられ、当該関連付け、及び前記第１のビーム掃引パターンのビームの第１のビームインデックス番号により、前記第２のメッセージを受信することを予想すべきところの、前記第２のビーム掃引パターンのビームの第２のビームインデックス番号を前記少なくとも１つのクライアントデバイスが決定することが容易になる、ブロードキャストすること（３０４）と
を含む、方法。
【請求項２】
前記第１のメッセージをブロードキャストすることは、前記ネットワークノードに関連する前記少なくとも１つのクライアントデバイスの同期を可能にするためのパイロットメッセージをブロードキャストすることを含む、請求項１に記載の方法。
【請求項３】
前記第２のメッセージをブロードキャストすることは、ネットワークシステムメッセージをブロードキャストすることを含む、請求項１または２に記載の方法。
【請求項４】
前記第２のメッセージをブロードキャストすることは、前記少なくとも１つのクライアントデバイスをローカライズするためのページングメッセージをブロードキャストすることを含む、請求項１から３のいずれか一項に記載の方法。
【請求項５】
クライアントデバイス（８００；９００）により、前記クライアントデバイスにサーブするネットワークノード（６００；７００）からブロードキャストされるメッセージを受信するために遂行される方法であって、
−  第１のビームインデックス番号を有するビームにおいて、第１のビーム掃引パターンを使用して前記ネットワークノードによりブロードキャストされる第１のメッセージを受信すること（４０２）と、
−  前記第１のビーム掃引パターンと、第２のビーム掃引パターンとの間の関連付けに関する情報を取得すること（４０４）と、
−  前記第１のビームインデックス番号、および、前記関連付けに関する前記取得される情報に基づいて、前記第２のビーム掃引パターンを使用して前記ネットワークノードによりブロードキャストされている第２のメッセージを受信することを予想すべきところの、ビームを指定する第２のビームインデックス番号を決定すること（４０６）と、
−  前記決定される第２のビームインデックス番号を有するビームにおいて前記第２のメッセージを受信すること（４０８）と
を含む、方法。
【請求項６】
別のビームインデックス番号を有する別のビームにおいて、前記第１のビーム掃引パターンを使用して前記ネットワークノードによりブロードキャストされる前記第１のメッセージを受信することと、前記受信される別のビームの信号強度、および、前記第１のビームインデックス番号を有する前記受信されるビームの信号強度を検出することと、前記第１のビームインデックス番号を有する前記ビーム、および、前記別のビームインデックス番号を有する前記ビームの中で、信号強度が最も高い前記ビームを、前記第１のビームインデックス番号を有する前記ビームとして指示することとをさらに含む、請求項５に記載の方法。
【請求項７】
前記関連付けに関する情報を取得すること（４０４）は、前記第１のビーム掃引パターンと、前記第２のビーム掃引パターンとの間のオフセットを取得することを含む、請求項５または６に記載の方法。
【請求項８】
前記クライアントデバイスがアタッチされる前記ネットワークノードから設定を取得すること、あらかじめ規定されることにより前記オフセットを取得すること、および、あらかじめ規定されたルールに従って導出されることにより前記オフセットを取得すること、の１つにより、前記オフセットを取得することをさらに含む、請求項７に記載の方法。
【請求項９】
前記関連付けに関する情報を取得すること（４０４）は、ビームであって、前記ビームにおいて、前記第１のメッセージが、前記第１のビーム掃引パターンを使用して送信される、ビームの数を取得することを含み、前記第２のビームインデックス番号を決定することは、前記取得されるビームの数にさらに基づく、請求項５から８のいずれか一項に記載の方法。
【請求項１０】
前記関連付けに関する前記取得される情報はオフセットを含み、前記第２のビームインデックス番号を決定すること（４０６）は、前記第１のビームインデックス番号と前記オフセットとの合計を計算することを含む、請求項５から９のいずれか一項に記載の方法。
【請求項１１】
前記第２のビームインデックス番号を決定すること（４０６）は、前記第１のメッセージの送信で使用される前記ビームの数にさらに基づく、請求項１０に記載の方法。
【請求項１２】
前記第２のビームインデックス番号を決定すること（４０６）は、前記第１のビームインデックス番号と前記オフセットとの合計を計算することにより、前記第２のビームインデックス番号を計算することと、前記取得される合計の、前記第１のメッセージの前記送信で使用される前記ビームの数のモジュラスを計算することとを含む、請求項１１に記載の方法。
【請求項１３】
前記関連付けに関する情報を取得すること（４０４）は、前記第２のビームインデックス番号と、前記第１のビームインデックス番号との間の１対１対応関係を取得することを含む、請求項５または６に記載の方法。
【請求項１４】
前記第２のビームインデックス番号を決定すること（４０６）は、前記第１のビームインデックス番号を、前記１対１対応関係への入力データとして使用することにより、前記第２のビームインデックス番号と、前記第１のビームインデックス番号との間の前記１対１対応関係を使用することと、前記１対１対応関係から、前記第１のビームインデックス番号に対応する前記第２のビームインデックス番号を抽出することとを含む、請求項１３に記載の方法。
【請求項１５】
前記第１のビームインデックス番号を有する前記ビームは、前記第１のビーム掃引パターンのビームのグループを含む複合ビームを含む、請求項５から１４のいずれか一項に記載の方法。
【請求項１６】
前記第２のビームインデックス番号を有する前記ビームは、前記第２のビーム掃引パターンのビームのグループを含む複合ビームを含む、請求項５から１４のいずれか一項に記載の方法。
【請求項１７】
ネットワークノード（６００）であって、前記ネットワークノードと関連付けられている少なくとも１つのクライアントデバイスにメッセージをブロードキャストするように設定され、
−  プロセッサモジュール（６０２）と、
−  メモリモジュール（６０４）であって、前記メモリモジュールは、前記プロセッサモジュールにより実行可能な命令を内に含み、したがって、前記ネットワークノードは、
−  少なくとも１つのクライアントデバイスに、第１のメッセージを、第１のビーム掃引パターンを使用して前記第１のメッセージを送信することによりブロードキャストすることであって、前記第１のビーム掃引パターンの、各々のビームは、ビームインデックス番号を有する、ブロードキャストすることと、
−  前記少なくとも１つのクライアントデバイスに、第２のメッセージを、第２のビーム掃引パターンを使用して前記第２のメッセージを送信することによりブロードキャストすることであって、前記第１のビーム掃引パターンの、各々のビームは、ビームインデックス番号を有し、前記第２のビーム掃引パターンは、前記第１のビーム掃引パターンと関連付けられ、当該関連付け、及び前記第１のビーム掃引パターンのビームの第１のビームインデックス番号により、前記第２のメッセージを受信することを予想すべきところの、前記第２のビーム掃引パターンのビームの第２のビームインデックス番号を前記少なくとも１つのクライアントデバイスが決定することが容易になる、ブロードキャストすることと
を行うように動作する、メモリモジュール（６０４）と
を含む、ネットワークノード（６００）。
【請求項１８】
前記ネットワークノードに関連する前記少なくとも１つのクライアントデバイスの同期を可能にするためのパイロットメッセージをブロードキャストするようにさらに適合されている、請求項１７に記載のネットワークノード（６００；７００）。
【請求項１９】
ネットワークシステムメッセージをブロードキャストするようにさらに適合されている、請求項１７または１８に記載のネットワークノード（６００；７００）。
【請求項２０】
前記クライアントデバイスをローカライズするためのページングメッセージをブロードキャストするようにさらに適合されている、請求項１７または１８に記載のネットワークノード（６００；７００）。
【請求項２１】
少なくとも１つのプロセッサ上で実行されるときに、前記少なくとも１つのプロセッサが、請求項１から１６のいずれか一項に記載の方法を履行することを引き起こす、命令を含む、コンピュータプログラム。
【請求項２２】
クライアントデバイス（８００）であって、前記クライアントデバイスが関連付けられるネットワークノードからブロードキャストされるメッセージを受信するように設定され、
−  プロセッサモジュール（８０２）と、
−  メモリモジュール（８０４）であって、前記メモリモジュールは、前記プロセッサモジュールにより実行可能な命令を内に含み、したがって、前記クライアントデバイスは、
−  第１のビームインデックス番号を有するビームにおいて、第１のビーム掃引パターンを使用して前記ネットワークノードによりブロードキャストされる第１のメッセージを受信することと、
−  前記第１のビーム掃引パターンと、第２のビーム掃引パターンとの間の関連付けに関する情報を取得することであって、第２のメッセージが前記ネットワークノードによりブロードキャストされることになる、取得することと、
−  第２のメッセージが、前記第２のビーム掃引パターンを使用して前記ネットワークノードによりブロードキャストされると予想すべきときの、第２のビームインデックス番号を決定することを、前記第１のビームインデックス番号、および、前記関連付けに関する前記取得される情報に基づいて行うことと、
−  前記決定される第２のビームインデックス番号において送信されるような前記第２のメッセージを受信することと
を行うように動作する、メモリモジュール（８０４）と
を含む、クライアントデバイス（８００）。
【請求項２３】
別のビームインデックス番号を有する別のビームにおいて、前記第１のビーム掃引パターンを使用して前記ネットワークノードによりブロードキャストされる前記第１のメッセージを受信することと、前記受信される別のビームの信号強度、および、前記第１のビームインデックス番号を有する前記受信されるビームの信号強度を検出することと、前記第１のビームインデックス番号を有する前記ビーム、および、前記別のビームインデックス番号を有する前記ビームの中で、信号強度が最も高い前記ビームを、前記第１のビームインデックス番号を有する前記ビームとして指示することとを行うようにさらに動作可能である、請求項２２に記載のクライアントデバイス（８００；９００）。
【請求項２４】
前記第１のビーム掃引パターンと、前記第２のビーム掃引パターンとの間のオフセットを取得するようにさらに動作可能である、請求項２２または２３に記載のクライアントデバイス（８００；９００）。
【請求項２５】
前記クライアントデバイスがアタッチされる前記ネットワークノードから設定を取得すること、あらかじめ規定されることにより前記オフセットを取得すること、および、あらかじめ規定されたルールに従って導出されることにより取得すること、の１つにより、前記オフセットを取得するようにさらに動作可能である、請求項２４に記載のクライアントデバイス（８００；９００）。
【請求項２６】
ビームであって、前記ビームにおいて、前記第１のメッセージが、前記第１のビーム掃引パターンを使用して送信される、ビームの数を取得することと、前記第２のビームインデックス番号を、前記ビームの数に基づいて決定することとを行うようにさらに動作可能である、請求項２２から２５のいずれか一項に記載のクライアントデバイス（８００；９００）。
【請求項２７】
前記関連付けに関する前記取得される情報はオフセットを含み、クライアントデバイスは、前記第２のビームインデックス番号を決定すること（４０６）を、前記第１のビームインデックス番号と前記オフセットとの合計を計算することにより行うようにさらに動作可能である、請求項２２から２６のいずれか一項に記載のクライアントデバイス（８００；９００）。
【請求項２８】
前記第２のビームインデックス番号を決定することを、前記第１のメッセージの送信で使用される前記ビームの数にさらに基づいて行うようにさらに動作可能である、請求項２７に記載のクライアントデバイス（８００；９００）。
【請求項２９】
前記第２のビームインデックス番号を決定すること（４０６）を、前記第１のビームインデックス番号と前記オフセットとの合計を計算することにより行うことと、前記取得される合計の、前記第１のメッセージの前記送信で使用される前記ビームの数のモジュラスを計算することとを行うようにさらに動作可能である、請求項２８に記載のクライアントデバイス（８００；９００）。
【請求項３０】
前記第２のビームインデックス番号と、前記第１のビームインデックス番号との間の１対１対応関係を取得するようにさらに動作可能である、請求項２２または２３に記載のクライアントデバイス（８００；９００）。
【請求項３１】
前記第１のビームインデックス番号を、前記１対１対応関係への入力データとして有することにより、前記第２のビームインデックス番号と、前記第１のビームインデックス番号との間の前記１対１対応関係を使用して、前記第２のビームインデックス番号を決定することと、前記１対１対応関係から、前記第１のビームインデックス番号に対応する前記第２のビームインデックス番号を抽出することとを行うようにさらに動作可能である、請求項３０に記載のクライアントデバイス（８００；９００）。
【請求項３２】
前記第１のビームインデックス番号を有する前記ビームは、前記第１のビーム掃引パターンのビームのグループを含む複合ビームを含む、請求項２２から３１のいずれか一項に記載のクライアントデバイス（８００；９００）。
【請求項３３】
前記第２のビームインデックス番号を有する前記ビームは、前記第２のビーム掃引パターンのビームのグループを含む複合ビームを含む、請求項２２から３１のいずれか一項に記載のクライアントデバイス（８００；９００）。
【発明の詳細な説明】
【技術分野】
【０００１】
この開示は、ブロードキャスト送信および受信に関係する。より詳細には、この開示は、メッセージをブロードキャストすること、および、ブロードキャストされている前記メッセージの受信すること、それぞれのための、ネットワークノード、クライアントデバイスと、それらのネットワークノードおよびクライアントデバイスでの方法とに関係する。
【背景技術】
【０００２】
第５世代（５Ｇ）モバイルネットワークは、エボルブド第３世代（３Ｇ）技術、第４世代（４Ｇ）技術、および、さらにはミリメートル波（ｍｍＷ）無線アクセスタイプ（ＲＡＴ）と呼称される、超高密度ネットワーク（ＵＤＮ）などの、新興の、または、実質的に新しい構成要素の組合せとなる見込みがある。
【０００３】
ワイヤレスネットワークでのキャパシティを増強するための増大する需要、および、周波数レンジ（例えば、８００ＭＨｚ〜３ＧＨｚ）内のスペクトルの利用可能性の不足に起因して、数十ＧＨｚレンジ内の周波数の使用が調査されている。調査は、実例として、３０ＧＨｚ、６０ＧＨｚ、および９８ＧＨｚのレンジ内の高周波数帯域を、モバイルネットワークの目的で探究するために進行中である。これらの周波数では、スペクトルの、大きな帯域幅が利用可能である。このことは、５Ｇネットワークに対する動作周波数および帯域幅の両方が、レガシーモバイルネットワーク、例えば３Ｇおよび４Ｇネットワークで使用される、動作周波数および帯域幅よりはるかに高いと予想されるということを意味する。しかしながら、パスロスとのつながりでの、相対的に大きな信号減衰に起因して、そのような高周波数によって動作するネットワークは、小さなエリアを、高密度に配置される無線アクセスノード（ＡＮ）によってカバーすることになっている。
【０００４】
図１は、ｍｍＷ無線アクセスネットワーク（ＲＡＮ）構造の、１つの例を図解する。このｍｍＷ  ＲＡＮ例は、１つの中央制御ユニット（ＣＣＵ）１０２と、ＣＣＵに接続されるアクセスノード（ＡＮ）１０４Ａ〜Ｄのグループと、２つの登録されるユーザ機器（ＵＥ）１０６Ａ〜Ｂとを含む。
【０００５】
ＡＮのそのような高密度の配置は、屋内の、または、繁華なエリア（スポット）に対する充分なカバレッジを提供すると予想される。
【０００６】
ＣＣＵは、接続されるＡＮを設定することに責任を負う。現在、ｍｍＷ  ＲＡＴの総キャリア帯域幅は、最高で１または２ＧＨｚであり得るということになっている。この帯域幅は、いくつかの、所定の帯域幅、例えば１００ＭＨｚのサブ帯域キャリアにより構成され得る。
【０００７】
高ゲインビームフォーミングが、ｍｍＷ  ＲＡＴにとって必須であるということが予想される。例えば、６０ＧＨｚでのｍｍ波リンクに対して、酸素吸収により引き起こされる、受信される電力でのロスは、ＡＮから、１６ｄＢ／ｋｍもの高さであり得る。その上に、所定の周波数の送信される無線の受信される電力は、前記周波数の二乗に反比例する。このことは、同じ伝搬距離によって、６０ＧＨｚの波長は、酸素吸収を考慮することがなくとも、２ＧＨｚの波長より２９．５ｄＢ多く減衰されているということを意味する。
【０００８】
酸素吸収を考慮するとき、高ゲインビームフォーミングが、減衰を補償するために必須であると予想される。
【０００９】
高周波数は、小さな波長に対応する。相対的に小さな波長のおかげで、より大きな波長、すなわち、より低い周波数に対するアンテナエレメントの数と比較して、より多くのアンテナエレメントが、所与のサイズのアンテナパネル内で集積され得る。より多くのアンテナエレメントを使用することは、より高いビームフォーミングゲインに達することを可能にする。
【００１０】
しかしながら、１つのＲＦチェーンを各々のアンテナエレメントに対して有することは、数十または数百のアンテナエレメントが存するならば、不経済である。これらの事例では、複数個のアンテナエレメントが典型的には、１つのＲＦチェーンを共有し、アナログ位相調整が、各々のアンテナに対して、ビーム方向を、ビームフォーミングゲインを最大化するように調整するために適用される。
【００１１】
さらに、ブロードキャストされる信号は有利には、掃引モードで送信され、その掃引モードでは、ブロードキャストされる信号は、掃引パターンを形成するいくつかのビームにおいて送信される。
【００１２】
上記で確認されたいが、ｍｍＷの大きな減衰に起因して、ブロードキャストされる信号でさえ、ビームフォーミングを使用して送信され得る。
【００１３】
ブロードキャストされる信号は、２つのタイプのブロードキャストされる信号に分けられ得る。
【００１４】
第１のタイプは、セル探索のためのパイロット信号、すなわち、ブロードキャストするＡＮへのＵＥの同期のための信号を含み得る。第１のタイプはさらには、最小限の要される必須のシステム情報を含み得る。
【００１５】
パイロット信号は、掃引モードで送信され得るものであり、その掃引モードに対して、各々のビームは１つのセクタをカバーし、その場合、近隣ビームの間に部分的な重複が存する。結果として、所望されるエリアは、ビームのセットによりカバーされ得る。
【００１６】
図２は、パイロット信号を、アクセスポイント（ＡＰ）、または、ｅＮＢなどの無線基地局により送信することに対して適用可能な無指向性カバレッジを提供するためのビーム掃引パターンの、１つの例を概略的に図解する。番号０〜７は、無指向性カバレッジを一体で提供するビームを指示する。
【００１７】
実際上は、ＵＥは、パイロットビームを、最も強いビームを決定するために、ブラインド的に監視することになっている。ブラインド検出、すなわち、ビームの総合的な数の検出の最大数は、ゆえに、この例では、パイロットビームの数に比例し得る。
【００１８】
ブロードキャストされる信号の第２のタイプは、ページングメッセージ、および、ブロードキャストされるシステム情報を含み得る。
【００１９】
さらなるシステム情報、および、ブロードキャスト制御メッセージなどの一部のダウンリンク（ＤＬ）制御メッセージが、さらにはブロードキャストされ得るものであり、そのことは、これらのメッセージの目標受信器が、アイドルモードでのＵＥを包含し、ゆえに、ページングメッセージを待ち受けることがあるという理由のためである。
【００２０】
高ゲインビームフォーミングがさらには、第２のタイプメッセージにとって、大きな十分なカバレッジを提供するために必須であり得る。さらに、これらの第２のタイプメッセージに対して、セル探索のためのパイロット信号などの第１のタイプメッセージのカバレッジと同様のカバレッジを提供することが所望されるものであり、その理由で、掃引送信がさらには、これらの第２のタイプメッセージに対して適用され得る。
【００２１】
送出タイプメッセージの掃引間隔の間、アイドルＵＥは、これらのメッセージを復号することを、それらのメッセージが検出される、または、間隔であって、その間にメッセージが掃引される、間隔が終了するまで行うことを意図される。
【００２２】
ｍｍＷ  ＲＡＴの事例では、ブロードキャストされる信号は、掃引モードで送信されることが、ビームフォーミングを実現し、その一方で、無指向性カバレッジを提供するために行われ得るということが結論付けられ得る。しかしながら、送信するＡＮ（または、ネットワークノード）からブロードキャストされる信号を監視することを必要とする、ＵＥなどのクライアントデバイス観点からは、そのことは、これらのブロードキャストされる信号を監視するための相対的に大きな電力消費を意味するものであり、その相対的に大きな電力消費は、クライアントデバイスが、送信される信号を多くの回数復号することを、送信される信号が検出される、または、掃引間隔が終了するまで行うことを必要とし得るということに起因するものである。電力消費は、アイドルモードにあるクライアントデバイスに対して、よりいっそう高い。なぜならば、そのようなクライアントデバイス（または、ＵＥ）はさらには、システム情報およびページングメッセージを監視するからである。
【００２３】
ゆえに、上記で論考されたような問題点に対処する解決策に対する必要性が存する。
【発明の概要】
【００２４】
上記で概説された問題点の少なくとも一部に対処することが、例示的な実施形態の主意であり、この主意、および他のものが、添付される独立請求項による、ネットワークノードおよびクライアントデバイスと、それらのネットワークノードおよびクライアントデバイスでの方法とにより、ならびに、従属請求項による、例示的な実施形態により実現される。
【００２５】
ある態様によれば、例示的な実施形態は、ネットワークノードにより、そのネットワークノードによりサーブされている少なくとも１つのクライアントデバイスにメッセージをブロードキャストするために遂行される方法を提供する。方法は、少なくとも１つのクライアントデバイスに、第１のメッセージを、第１のビーム掃引パターンを使用して前記第１のメッセージを送信することによりブロードキャストすることであって、第１のビーム掃引パターンの、各々のビームは、ビームインデックス番号を有する、ブロードキャストすることを含む。方法はさらには、少なくとも１つのクライアントデバイスに、第２のメッセージを、第２のビーム掃引パターンを使用して前記第２のメッセージを送信することによりブロードキャストすることであって、第２のビーム掃引パターンの、各々のビームは、ビームインデックス番号を有し、第２のビーム掃引パターンは、第１のビーム掃引パターンと関連付けられる、ブロードキャストすることを含む。
【００２６】
別の態様によれば、例示的な実施形態は、クライアントデバイスにより、そのクライアントデバイスにサーブするネットワークノードからブロードキャストされるメッセージを受信するために遂行される方法を提供する。方法は、第１のビームインデックス番号を有するビームにおいて、第１のビーム掃引パターンを使用してネットワークノードによりブロードキャストされる第１のメッセージを受信することを含む。方法はさらには、第１のビーム掃引パターンと、第２のビーム掃引パターンとの間の関連付けに関する情報を取得することを含む。方法はさらには、第２のビーム掃引パターンを使用してネットワークノードによりブロードキャストされている第２のメッセージを受信することを予想すべきところの、ビームを指定する第２のビームインデックス番号を決定することを、第１のビームインデックス番号、および、関連付けに関する取得される情報に基づいて行うことを含む。加えて方法は、決定される第２のビームインデックス番号を有するビームにおいて第２のメッセージを受信することを含む。
【００２７】
なおも別の態様によれば、例示的な実施形態は、ネットワークノードであって、そのネットワークノードと関連付けられている少なくとも１つのクライアントデバイスにメッセージをブロードキャストするように設定される、ネットワークノードを提供する。ネットワークノードは、プロセッサモジュールまたはプロセッサと、メモリモジュールまたはメモリとを含む。メモリモジュールは、プロセッサモジュールにより実行可能な命令を含み、したがって、ネットワークノードは、少なくとも１つのクライアントデバイスに、第１のメッセージを、第１のビーム掃引パターンを使用して前記第１のメッセージを送信することによりブロードキャストすることであって、第１のビーム掃引パターンの、各々のビームは、ビームインデックス番号を有する、ブロードキャストすることを行うように動作する（ｏｐｅｒａｔｉｖｅ）。メモリモジュールはさらには、プロセッサモジュールにより実行可能な命令を含み、したがって、ネットワークノードは、少なくとも１つのクライアントデバイスに、第２のメッセージを、第２のビーム掃引パターンを使用して前記第２のメッセージを送信することによりブロードキャストすることであって、第１のビーム掃引パターンの、各々のビームは、ビームインデックス番号を有し、第２のビーム掃引パターンは、第１のビーム掃引パターンと関連付けられる、ブロードキャストすることを行うように動作する。
【００２８】
なおも別の態様によれば、例示的な実施形態は、クライアントデバイスであって、そのクライアントデバイスが関連付けられるネットワークノードからブロードキャストされるメッセージを受信するように設定される、クライアントデバイスを提供する。クライアントデバイスは、プロセッサモジュールまたはプロセッサと、メモリモジュールまたはメモリとを含む。メモリモジュールは、前記プロセッサモジュールにより実行可能な命令を含み、したがって、前記クライアントデバイスは、第１のビームインデックス番号を有するビームにおいて、第１のビーム掃引パターンを使用してネットワークノードによりブロードキャストされる第１のメッセージを受信するように動作する。クライアントデバイスはさらには、第１のビーム掃引パターンと、第２のビーム掃引パターンとの間の関連付けに関する情報を取得することであって、その第２のビーム掃引パターンによって、第２のメッセージがネットワークノードによりブロードキャストされることになる、取得することを行うように動作可能である。クライアントデバイスはさらには、第２のメッセージが、第２のビーム掃引パターンを使用してネットワークノードによりブロードキャストされると予想すべきときの、第２のビームインデックス番号を決定することを、第１のビームインデックス番号、および、関連付けに関する取得される情報に基づいて行うように動作可能である。加えてクライアントデバイスは、決定される第２のビームインデックス番号において送信されるような第２のメッセージを受信するように動作可能である。
【００２９】
本開示は、クライアントデバイスの電力効率が、ブロードキャストメッセージを監視するときに、以前の監視方法と比較して改善されるという利点を提供する。
【００３０】
実施形態がここで、より詳細に、および、付随する図面を参照して説明されることになる。
【図面の簡単な説明】
【００３１】
【図１】ｍｍＷ  ＲＡＮ構造の、１つの例を概略的に図解する図である。
【図２】ビーム掃引パターンの、１つの例を概略的に図解する図である。
【図３】例示的な実施形態による、ネットワークノードで遂行される方法のフローチャートを図解する図である。
【図４】例示的な実施形態による、クライアントデバイスで遂行される方法のフローチャートを図解する図である。
【図５Ａ−Ｃ】例示的な実施形態による、第１のメッセージに関係する第２のメッセージ送信の例を概略的に図解する図である。
【図６】例示的な実施形態によるネットワークノードを提示する図である。
【図７】例示的な実施形態によるネットワークノードを提示する図である。
【図８】例示的な実施形態によるクライアントデバイスを提示する図である。
【図９】例示的な実施形態によるクライアントデバイスを提示する図である。
【発明を実施するための形態】
【００３２】
以下の説明では、例示的な実施形態の、異なる実施形態が、より詳細に、付随する図面を参照して説明されることになる。解説の目的で、および、制限の目的ではなく、個別の例および技法などの、特定の詳細が、徹底した理解をもたらすために論述される。
【００３３】
この開示は、ビーム掃引パターンを使用するパイロットメッセージの送信とのつながりでの、所定の相対的タイミングおよび／または周波数関連付けによる、設定された、または、あらかじめ規定された掃引パターンを使用する、システム情報およびページングメッセージを含む、ブロードキャストメッセージの送信に関わるものである。ページングメッセージの掃引パターンは、あらかじめ規定される、または、設定される、のいずれかであり得るので、本明細書では以降ＵＥと呼称される、ＵＥまたはアクセスノードは、ブロードキャストメッセージを搬送するビームがＵＥを目標とするところの、タイミングおよび／または周波数ウィンドウを導出し得る。
【００３４】
それゆえに、ＵＥは、どのタイミングおよび／または周波数ウィンドウにおいて、ＵＥを目標とするブロードキャストメッセージが送信されるかを知り得る。ＵＥは、ブロードキャストメッセージを掃引モードで送信するために使用されるビームに対応する送信されるウィンドウの集団の中から、ＵＥを目標とする、ブロードキャストメッセージが送信されるタイミングおよび／または周波数ウィンドウを監視しなければならないのみであるので、ＵＥは、ブロードキャストメッセージを、有意に、より少ない試験的な検出によって検出し得る。結果として、ＵＥ電力消費は、ＵＥがシステム情報およびページングメッセージを頻繁に監視することを必要とし得るときに、特にアイドルＵＥに対して、相当に低減され得る。
【００３５】
ＵＥが、最も強いパイロットビームを検出するときに、または、そのところでは、ＵＥは、パイロット信号とは別々に送出されるブロードキャストメッセージのビームを監視するためのタイミングおよび／または周波数ウィンドウを、パイロット掃引パターンと、ブロードキャストメッセージ掃引パターンとの間の関連付けによって決定し得る。再度になるが、帰結として、ＵＥは、掃引間隔の間、ブロードキャストメッセージを送信するビームをすべて監視しなければならないということではない。
【００３６】
この開示の実施形態は、ｍｍＷ  ＲＡＴの環境で適用可能である。
【００３７】
図３は、例示的な実施形態による、ネットワークノードにより、そのネットワークノードによりサーブされている少なくとも１つのクライアントデバイスにメッセージをブロードキャストするために遂行される方法のフローチャートを図解する。方法は、少なくとも１つのクライアントデバイスに、第１のメッセージを、第１のビーム掃引パターンを使用して前記第１のメッセージを送信することによりブロードキャストすること３０２であって、第１のビーム掃引パターンの、各々のビームは、ビームインデックス番号を有する、ブロードキャストすること３０２を含む。方法はさらには、少なくとも１つのクライアントデバイスに、第２のメッセージを、第２のビーム掃引パターンを使用して前記第２のメッセージを送信することによりブロードキャストすること３０４であって、第２のビーム掃引パターンの、各々のビームは、ビームインデックス番号を有し、第２のビーム掃引パターンは、第１のビーム掃引パターンと関連付けられる、ブロードキャストすること３０４を含む。
【００３８】
第１のメッセージをブロードキャストすること３０２は、ネットワークノードに関連する少なくとも１つのクライアントデバイスの同期を可能にするためのパイロットメッセージをブロードキャストすることを含み得る。
【００３９】
第２のメッセージをブロードキャストすること３０４は、ネットワークシステムメッセージをブロードキャストすることを含み得る。
【００４０】
第２のメッセージをブロードキャストすること３０４は、少なくとも１つのクライアントデバイスをローカライズするためのページングメッセージをブロードキャストすることを含み得る。
【００４１】
図４は、クライアントデバイスにより、そのクライアントデバイスにサーブするネットワークノードからブロードキャストされるメッセージを受信するために遂行される方法のフローチャートを図解する。方法は、第１のビームインデックス番号を有するビームにおいて、第１のビーム掃引パターンを使用してネットワークノードによりブロードキャストされる第１のメッセージを受信すること４０２を含む。方法はさらには、第１のビーム掃引パターンと、第２のビーム掃引パターンとの間の関連付けに関する情報を取得すること４０４を含む。方法はさらには、第２のビーム掃引パターンを使用してネットワークノードによりブロードキャストされている第２のメッセージを受信することを予想すべきところの、ビームを指定する第２のビームインデックス番号を決定すること４０６を、第１のビームインデックス番号、および、関連付けに関する取得される情報に基づいて行うことを含む。加えて方法は、決定される第２のビームインデックス番号を有するビームにおいて第２のメッセージを受信すること４０８を含む。
【００４２】
方法は、別のビームインデックス番号を有する別のビームにおいて、第１のビーム掃引パターンを使用してネットワークノードによりブロードキャストされる第１のメッセージを受信することと、前記受信される別のビームの信号強度、および、第１のビームインデックス番号を有する受信されるビームの信号強度を検出することと、第１のビームインデックス番号を有するビーム、および、前記別のビームインデックス番号を有するビームの中で、信号強度が最も高いビームを、第１のビームインデックス番号を有するビームとして指示することとをさらに含み得る。
【００４３】
関連付けに関する情報を取得すること４０４は、第１のビーム掃引パターンと、第２のビーム掃引パターンとの間のオフセットを取得することをさらに含み得る。
【００４４】
方法は、クライアントデバイスがアタッチされるネットワークノードから設定を取得すること、あらかじめ規定されることによりオフセットを取得すること、および、あらかじめ規定されたルールに従って導出されることによりオフセットを取得すること、の１つにより、オフセットを取得することをさらに含み得る。
【００４５】
オフセットは、クライアントデバイスに固有であり得る。オフセットは代替的に、クライアントデバイスがアタッチされるネットワークノードに固有であり得る。
【００４６】
オフセットは、ブロードキャストされている第２のメッセージに固有であり得る。ページングメッセージである第２のメッセージをブロードキャストするとき、１つのオフセットが使用されることがあり、システム情報を含む第２のメッセージをブロードキャストするとき、別のオフセットが使用されることがある。
【００４７】
関連付けに関する情報を取得すること４０４は、ビームであって、それらのビームにおいて、第１のメッセージが、第１のビーム掃引パターンを使用して送信される、ビームの数を取得することを含み得るものであり、第２のビームインデックス番号を決定することは、取得されるビームの数にさらに基づく。
【００４８】
関連付けに関する情報を取得すること４０４は、第２のビームインデックス番号と、第１のビームインデックス番号との間の１対１対応関係を取得することを含み得る。
【００４９】
第２のビームインデックス番号を決定すること４０６は、第２のビームインデックス番号と、第１のビームインデックス番号との間の、取得される１対１対応関係を使用することであって、第１のビームインデックス番号を、１対１対応関係への入力データとして有することによる、使用することと、１対１対応関係から、第１のビームインデックス番号に対応する第２のビームインデックス番号を抽出することとを含み得る。
【００５０】
第２のビームインデックス番号を決定すること４０６は、第２のビームインデックス番号をテーブル内でルックアップすることであって、このテーブルは、第１のビームインデックス番号と、第２のビームインデックス番号との間の関連付けを含み、ルックアップすることは、第１のビームインデックス番号を、テーブルへの入力データとして使用することを含む、ルックアップすることと、テーブルから、第１のビームインデックス番号に対応する第２のビームインデックス番号を抽出することとを含み得る。
【００５１】
テーブルは、第１のビームインデックス番号と、第２のビームインデックス番号との間の１対１（ｏｎｅ−ｔｏ−ｏｎｅ）（１対１（１−ｔｏ−１））対応関係の、１つの例であり、第１のビームインデックス番号は、第１のビーム掃引パターンでの最も強いビームの番号であり、第２のビームインデックス番号は、ページングメッセージなどの第２のメッセージがＵＥを目標とすると予想される、ところ、である。
【００５２】
関連付けがオフセットを含むとき、第２のビームインデックス番号を決定すること４０６は、第１のビームインデックス番号とオフセットとの合計を計算することを含み得る。実例として、オフセットをプラスした第１のビームインデックス番号が、第１のビーム掃引パターンで使用されるビームの数より少ないとき、合計のモジュラス計算を使用することの必要性は存しない。この理由で、第１のビーム掃引パターンで使用されるビームの数は、常に必要であるわけではない。
【００５３】
他の実施形態では、第２のビームインデックス番号を決定すること４０６は、第１のメッセージの送信で使用されるビームの数にさらに基づき得る。特に、第２のビームインデックス番号を決定すること４０６は、第２のビームインデックス番号を計算することを、第１のビームインデックス番号とオフセットとの合計を計算することにより行うことと、取得される合計の、第１のメッセージの送信で使用されるビームの数のモジュラスを計算することとを含み得る。モジュラス計算は、第１のビームインデックス番号とオフセットとの合計が、第１のメッセージの送信で使用されるビームの数以上であるときに使用され得る。
【００５４】
クライアントデバイスにより遂行される方法の中で、第１のビームインデックス番号を有するビームは、第１のビーム掃引パターンのビームのグループを含む複合ビームを含み得る。
【００５５】
クライアントデバイスにより遂行される方法の中で、第２のビームインデックス番号を有するビームは、代替的に、第２のビーム掃引パターンのビームのグループを含む複合ビームを含み得る。
【００５６】
図５Ａ〜Ｃは、例示的な実施形態による、第２のビーム掃引パターンが第１のビーム掃引パターンと時間において関連付けられる、第１のメッセージ送信に関係する第２のメッセージ送信の、一部の例を概略的に図解する。他の実施形態の中で、関連付けは、時間および周波数においてのものであり得る。なおその上に他の実施形態の中で、関連付けは、周波数のみにおいてのものであり得る。
【００５７】
これらの例の中で、第１のメッセージはパイロットメッセージを含み、他方で、第２のメッセージはページングメッセージを含むが、第１および第２のメッセージは、他の情報もまた含み得る。
【００５８】
第２のメッセージのビーム掃引パターンは、第１のメッセージのビーム掃引パターンと関連付けられる。クライアントデバイスの、１つの例であるＵＥは、ネットワークノードにより送信されるビームをブラインド的に監視し得る。ＵＥは、パイロットメッセージを搬送するいくつものビームを検出し得る。ＵＥは次いで、最も強いビームであって、それにおいてパイロットメッセージが送信される、最も強いビームを決定し得る。
【００５９】
図５Ａは、どのようにページングメッセージが、ビームを使用して、パイロットメッセージの送信との関係で送信され得るかの、１つの例を提示する。パイロットメッセージを送信するために使用されるビームの番号が、５０２により指示される。各々のビームは、ＵＥにより検出可能であるビームインデックス番号を搬送し得る。この例ではビームは、ビームインデックス番号０〜７を搬送する。
【００６０】
この例では、ＵＥは、ビームインデックス番号０を有するビームが最も強いということを検出するということになっている。ＵＥは代わりに、ビームインデックス番号０〜７に対応するビームのいずれか１つが最も強くあり得るということを検出し得る。
【００６１】
ＵＥは、どのようにページングメッセージが、ビーム掃引モードを使用して、パイロットメッセージが送信される方策との関係で送信されるかに関する情報を取得し得る。この情報は、本明細書では、第２のビーム掃引パターンと、第１のビーム掃引パターンとの間の関連付けとして指示される。
【００６２】
ＵＥは、関連付けに関する情報を、設定されること、または、あらかじめ規定されることのいずれかにより取得し得る。関連付けに関する情報は、中央制御ユニットから、ネットワークノードからのシグナリングによって取得され得る。
【００６３】
図５Ａのこの例では、関連付けは、ビームインデックス番号であって、それにおいてページング信号が送信されることになる、ビームインデックス番号が、この例では３に等しい、オフセットをプラスした、パイロットメッセージに対する最も強いビームのビームインデックス番号であるということを含む、または指し示す。図５Ａで図解されるように、最も強いパイロットビームはビームインデックス番号０を有し、他方で、ページングメッセージが送信されるビームのビームインデックス番号は、２つの数字を合計することにより計算され得るものであり、０＋３が結果的に生じ、それは３に等しい。
【００６４】
かくして、第２のビーム掃引パターンを使用して送信されている、ビーム５０４のビームインデックス番号３を有するビームが、ＵＥを、ページングメッセージを伴って目標とすることになる。
【００６５】
帰結として、ＵＥは、そのＵＥの監視ウィンドウを、ビームインデックス番号３、または単純に、ビーム番号３を有するビームに制限する。
【００６６】
ＵＥは、ネットワークノードがページングメッセージを送信することを開始するときに関する情報によって設定され得る。この事例では、ビームの集団のどのビームを、ページングメッセージを検出するために監視すべきかを知ることが、ＵＥにとって十分である。
【００６７】
この例でのパイロット信号に対する最も強いビームのビームインデックス番号が５、６、７であるならば、３をプラスした、第１のビームインデックス番号に対する、ページングメッセージのビームインデックス番号の同等のものは、「８」、「９」、または「１０」であることになるのではなく、むしろ掃引パターンは、ビームインデックス番号７を送信した後で、意向のビームインデックス番号０を再び開始するということを指摘したい。
【００６８】
Ｎｐｉｌｏｔによる、パイロットメッセージに対して使用されるビームの数、ｎｐｉｌｏｔにより指示される、最も強いパイロットビームのビームインデックス番号、および、Δにより指示される、第２の掃引パターンと、第１の掃引パターンとの間の相対的オフセットを指示すると、ｎｂｒｏａｄｃａｓｔと指示される、ビームインデックス番号であって、それにおいて、ページングメッセージが送信される、ビームインデックス番号が、式１を使用して決定され得る。
ｎｂｒｏａｄｃａｓｔ＝（ｎｐｉｌｏｔ＋Δ）  ｍｏｄｕｌｕｓ  Ｎｐｉｌｏｔ  （式１）
【００６９】
例えば、（ｎｐｉｌｏｔ＋Δ）＝Ｎｐｉｌｏｔ＋１であるならば、（ｎｐｉｌｏｔ＋Δ）  ｍｏｄｕｌｕｓ  Ｎｐｉｌｏｔは１に等しい。
【００７０】
かくして、パイロットメッセージ、すなわち、第１のメッセージが、ビームインデックス番号ｎｐｉｌｏｔを有するビームで最も強いならば、ページングメッセージに対して監視すべき最良のビームは、ビームインデックス番号ｎｂｒｏａｄｃａｓｔを有するビームである。
【００７１】
図５Ｂは、第２のメッセージを掃引モードで、第１のビーム掃引パターンを使用してブロードキャストすることとの関係で、どのようにブロードキャストすべきかの別の例を概略的に図解する。
【００７２】
第１のビーム掃引パターンで使用されるビームの数が、第２のビーム掃引パターンで使用されるビームの数に等しい、図５Ａとは対照的に、図５Ｂでは、前記ビーム掃引パターンで使用されるビームの数は異なる。
【００７３】
図５Ｂでは、５０２が、ビームインデックス番号０〜７を有するビームを指示し、他方で、５０６が、ビームインデックス番号０〜１５を有するビームを指示するということが確認される。ページングメッセージを送信する際に使用されるビームの数は、パイロットメッセージを送信する際に使用されるビームの数より大きい。
【００７４】
ビーム掃引パターンは、無指向性カバレッジを一体で提供するビームを含むので、各々のビーム掃引パターンで使用されるビームの数は、完全な一回りをカバーし得る。第１のビーム掃引パターンで使用されるビームの番号は、それゆえに、このつながりで、第２のビーム掃引パターンで使用されるビームの番号に対応し得る。異なる言い回しをすれば、第１のビーム掃引パターンで使用されるビームの番号は、第２のビーム掃引パターンで使用されるビームの番号にマッピングされ得る。このことは、第１のビーム掃引パターンでのビームインデックス番号は、第２のビーム掃引パターンでのビームのグループに、または逆に、マッピングされ得るということを示唆する。第１のビーム掃引パターンで使用されるビームの数は８、すなわち０〜７であり、第２のビーム掃引パターンで使用されるビームの数は１６、すなわち０〜１５であるので、第２のビーム掃引パターンに対するビームの、各々のグループは、２つのビームに対応する、２つのビームインデックス番号に対応する。
【００７５】
上記と同様に、ＵＥまたはクライアントデバイスは、パイロット信号を検出するとき、ビームインデックス番号０を有するビームが最も強いということを検出したと想定しよう。図５Ｂのこの例では、ＵＥは、第１のビーム掃引パターンと、第２のビーム掃引パターンとの間の関連付けに関する情報を取得したということが想定され、その場合、関連付けは、２に等しいオフセットを含む。
【００７６】
ビームインデックス番号、または、ここではむしろ、ビームグループインデックス番号は、式１とまさに同様の式を使用して決定され得る。
【００７７】
Ｎｐｉｌｏｔによる、パイロットメッセージに対して使用されるビームの数、ｎｐｉｌｏｔによる、最も強いパイロットビームのビームインデックス番号、および、Δによる、第２の掃引パターンと、第１の掃引パターンとの間の相対的オフセットを指示すると、ビームグループインデックス番号であって、それにおいて、ページングメッセージが送信される、ビームグループインデックス番号、ｎｇ，ｂｒｏａｄｃａｓｔが、式２を使用して決定され得る。
ｎｇ，ｂｒｏａｄｃａｓｔ＝（ｎｐｉｌｏｔ＋Δ）  ｍｏｄｕｌｕｓ  Ｎｐｉｌｏｔ  （式２）
【００７８】
図５Ｂの例の番号を使用すると、ビームグループインデックス番号であって、それにおいて、ページングメッセージが送信される、ビームグループインデックス番号、ｎｇ，ｂｒｏａｄｃａｓｔが、（０＋２）  ｍｏｄｕｌｕｓ  ８として計算され、その計算は２に等しい。
【００７９】
２のビームグループインデックス番号に対応する第２のビームインデックス番号は、ビームインデックス番号４および５である。ゆえに、ビームグループインデックス番号は２である。このことはなぜならば、グループインデックス番号０は、第２のビームインデックス番号０および１に対応し、グループインデックス番号１は、第２のビームインデックス番号２および３に対応するからである。
【００８０】
かくして、ビームインデックス番号０を有するビームが、最も強いパイロット信号を有するということを検出したことで、ページングメッセージは、ＵＥを目標とすることを、第２のビーム掃引パターンの中のビーム４および５で行うと予想される。
【００８１】
図５Ｃは、第２のメッセージを掃引モードで、第１のビーム掃引パターンを使用してブロードキャストすることとの関係で、どのようにブロードキャストすべきかの別の例を概略的に図解する。
【００８２】
図５Ｂと同様に、図５Ｃは、第１のビーム掃引パターンで使用されるビーム５０２の数とは異なる、いくつかのビーム５０８を有する第２のビーム掃引パターンを図解する。
【００８３】
図５Ｃでは、５０２が、ビームインデックス番号０〜７を有するビームを指示し、他方で、５０８が、ビームインデックス番号０〜３を有するビームを指示するということが確認される。ページングメッセージを送信する際に使用されるビームの数は、かくして、パイロットメッセージを送信する際に使用されるビームの数より小さい。
【００８４】
掃引パターンが典型的には、無指向性カバレッジを提供するという同じ理由で、ビーム５０２の第１の番号は、ビーム５０８の第２の番号にマッピングされ得る。
【００８５】
図５Ｂの例と同様に、ビームインデックス番号のグループが、本明細書では生成される。しかしながら、ページングメッセージに対して使用されるビーム５０８の数は、パイロットメッセージに対して使用されるビーム５０２の数より少ないので、パイロットメッセージに対するビームの番号は、ページングメッセージに対して使用されるビームの数に等しい、いくつかのグループに分けられる。図５Ｃでは、ページングメッセージに対して使用される４つのビームが存するので、パイロットメッセージに対するビームの、各々のグループは、２つのビーム（８／４＝２）を含む。
【００８６】
上記と同様に、Ｎｐｉｌｏｔによる、パイロットメッセージに対して使用されるビームの数、ｎｇ，ｐｉｌｏｔによる、最も強いパイロットビームを有するビームグループインデックス番号、および、Δによる、第２の掃引パターンと、第１の掃引パターンとの間の相対的オフセットを指示すると、ビームインデックス番号であって、それにおいて、ページングメッセージが送信される、ビームインデックス番号、ｎｂｒｏａｄｃａｓｔが、式３を使用して決定され得る。
ｎｂｒｏａｄｃａｓｔ＝（ｎｇ，ｐｉｌｏｔ＋Δ）  ｍｏｄｕｌｕｓ  Ｎｐｉｌｏｔ  （式３）
【００８７】
ビームグループインデックス番号ｎｇ，ｐｉｌｏｔは、かくして、ビームグループインデックスであって、それにおいて、最も強いパイロットビームが検出される、ビームグループインデックスを指示する。
【００８８】
図５Ｃのこの例では、ビームグループインデックス番号は０であり、第２のビーム掃引パターンと、第１のビーム掃引パターンとの間のオフセットは１であるということが確認される。かくして、ビームインデックス番号であって、それにおいて、ページングメッセージがＵＥを目標とされる、ビームインデックス番号が、（０＋１）  ｍｏｄｕｌｕｓ  ８により計算され得るものであり、その計算は１に等しい。
【００８９】
１のオフセットによって、最も強いパイロットメッセージがビームグループインデックス０の中で検出されるということを検出したことで、ＵＥを目標とするページングメッセージは、ビームインデックス番号１を有するビームにおいて予想される。
【００９０】
共通のグループインデックス番号の中のビームのグループは、２つ以上のビームを含む複合ビームと指示され得る。
【００９１】
ＵＥが、第１のビームインデックス番号を有するビームにおいて、第１のビーム掃引パターンを使用してネットワークノードによりブロードキャストされる第１のメッセージを受信するとき、ＵＥはさらには、第１のメッセージを、第１のビームインデックス番号を有するビームに対する近隣物であるビームにおいて受信し得る。さらには、これらのビームインデックス番号は、ビームグループインデックス番号を指示し得るものであり、その場合、各々のグループは、２つ以上の単数のビームインデックス番号、またはビームを含む。
【００９２】
パイロットメッセージを近隣ビームにおいて検出することにより、掃引されている第１のメッセージの監視の後のＵＥモビリティに起因する、第２のビーム掃引パターンを使用して送信される、ブロードキャストされる第２のメッセージの受信の誤検出が低減されるものであり、なぜならば、２つ以上のビームが、第２のメッセージの受信に対して監視されているからである。
【００９３】
第１のビーム掃引パターンと、第２のビーム掃引パターンとの間の関連付けがオフセットを含む場合、このオフセットは、ネットワークノードであって、それからメッセージが送信された、ネットワークノードに固有であり得るものであり、または代替的に、ネットワークノードがアタッチされるＵＥもしくはクライアントデバイスに固有であり得る。
【００９４】
オフセットは、代替的実施形態によれば、ブロードキャストされている第２のメッセージに固有であり得る。ページングメッセージである第２のメッセージをブロードキャストするとき、１つのオフセットが使用されることがあり、システム情報を含む第２のメッセージをブロードキャストするとき、異なるオフセットが使用されることがある。
【００９５】
オフセットは、第１のビーム掃引パターンと、第２のビーム掃引パターンとの間の、変位尺度または相対的尺度であると考えられ得る。
【００９６】
オフセットは、上記で述べられたように、中央制御ユニット（ＣＣＵ）から、ネットワークノードによって取得され得る。関連付けは代替的に、ＵＥにより、あらかじめ規定されたルールに従って、あらかじめ規定され得る、または導出され得る。
【００９７】
あらかじめ規定されたルールの、１つの例は、オフセットは、ネットワークノード、ＡＮの識別子（ＩＤ）に基づいて導出されることが、オフセットがネットワークノード、ＡＮに固有であるという条件で行われ得るということである。例えばオフセットは、それぞれのＩＤ  ｍｏｄｕｌｕｓ  Ｎｐｉｌｏｔに等しくあり得るものであり、その場合、Ｎｐｉｌｏｔは、第１のビーム掃引パターンで使用されるビームの数を指示する。
【００９８】
なおも別の実施形態では、ブロードキャストシステム情報に適用可能な相対的オフセットは、ネットワーク全体で均一であり得るものであり、他方で、ページングメッセージに適用可能なオフセットは、ネットワーク、ＡＮ、またはＵＥ固有であり得る。代替的に、第２のビーム掃引パターンを使用して送出される、ブロードキャストシステム情報メッセージおよびページングメッセージに対するオフセットは、異なる値であるように、あらかじめ規定され得る。
【００９９】
かくして、関連付けの手段により、ＵＥは、最も強いパイロットビームをブラインド検出により決定することを必要とするのみであり得るものであり、そのことの後で、ページング信号またはメッセージなどの、ブロードキャストされる信号またはメッセージの検出のために監視すべき、とき、または、ところ、が決定され得る。どのタイミングまたは周波数ウィンドウにおいて、ブロードキャスト信号またはメッセージが、ＵＥを目標とされると予想されるかを決定することにより、ＵＥは、掃引ビームの無指向性カバレッジに対応して、ブロードキャストメッセージのビーム掃引間隔全体の間、監視状態を維持することを必要としない。理想的には、ブロードキャスト／ページングメッセージ監視のための電力消費は、第１のビーム掃引パターンで使用されるビームの数に等しい係数により低減され得る。例えば図５Ａでは、掃引モードでブロードキャストされている第２のメッセージの監視のための電力消費は、８分の１に低減され得る。
【０１００】
説明されたように、図５Ａ〜Ｃは、第１のビーム掃引パターンと、第２のビーム掃引パターンとの間の、時間においての関連付けを概略的に図解する。しかしながら、関連付けは、周波数領域において、等しく良好にあり得る。第１のビームインデックス番号を有するビームで適用される周波数は、第２の掃引パターンで使用される、および、第２のビームインデックス番号を有する、ビームで適用される周波数との関係を有し得る。
【０１０１】
一部の実施形態によれば、関連付けは、時間および周波数の両方の領域においてのものであり得る。そのような関連付けを使用して、パイロットビームなどの第１のビームを送信するときに使用される、時間および周波数は、ＵＥを目標とするページングメッセージを予想すべきところの、時間および周波数に関係付けられ得る。
【０１０２】
図６は、ネットワークノード６００であって、そのネットワークノードと関連付けられている少なくとも１つのクライアントデバイスにメッセージをブロードキャストするように設定される、ネットワークノード６００を概略的に提示する。ネットワークノード６００は、プロセッサ６０２またはプロセッサモジュールと、メモリ６０４またはメモリモジュールとを含む。メモリ６０４またはメモリモジュールは、プロセッサ６０２またはプロセッサモジュールにより実行可能な命令を含み、したがって、ネットワークノード６００は、少なくとも１つのクライアントデバイスに、第１のメッセージを、第１のビーム掃引パターンを使用して前記第１のメッセージを送信することによりブロードキャストすることであって、第１のビーム掃引パターンの、各々のビームは、ビームインデックス番号を有する、ブロードキャストすることを行うように動作する。メモリ６０４またはメモリモジュールはさらには、プロセッサ６０２またはプロセッサモジュールにより実行可能な命令を含み、したがって、ネットワークノード６００は、少なくとも１つのクライアントデバイスに、第２のメッセージを、第２のビーム掃引パターンを使用して前記第２のメッセージを送信することによりブロードキャストすることであって、第１のビーム掃引パターンの、各々のビームは、ビームインデックス番号を有し、第２のビーム掃引パターンは、第１のビーム掃引パターンと関連付けられる、ブロードキャストすることを行うように動作する。
【０１０３】
ネットワークノード６００はさらには、ネットワークノードに関連する少なくとも１つのクライアントノードの同期を可能にするためのパイロットメッセージをブロードキャストするように動作可能であり得る。
【０１０４】
ネットワークノード６００はさらには、ネットワークシステムメッセージをブロードキャストするように動作可能であり得る。
【０１０５】
ネットワークノード６００はさらには、クライアントノードをローカライズするためのページングメッセージをブロードキャストするように動作可能であり得る。
【０１０６】
ネットワークノード６００は、無線基地局またはｅノードＢを含み得る。
【０１０７】
本開示はさらには、少なくとも１つのプロセッサまたはプロセッサモジュール上で実行されるときに、ネットワークノードの、少なくとも１つのプロセッサまたはプロセッサモジュールが、先に説明された方法を実行させる、命令を含む、コンピュータプログラムを含む。
【０１０８】
図７は、ネットワークノード７００であって、そのネットワークノードと関連付けられている少なくとも１つのクライアントデバイスにメッセージをブロードキャストするように設定される、ネットワークノード７００を概略的に提示する。ネットワークノード７００は、少なくとも１つのクライアントデバイスに、第１のメッセージを、第１のビーム掃引パターンを使用して前記第１のメッセージを送信することによりブロードキャストすることであって、第１のビーム掃引パターンの、各々のビームは、ビームインデックス番号を有する、ブロードキャストすることを行うように設定されるブロードキャスティングユニット／モジュール７０２を含む。ブロードキャスティングユニット／モジュール７０２はさらには、少なくとも１つのクライアントデバイスに、第２のメッセージを、第２のビーム掃引パターンを使用して前記第２のメッセージを送信することによりブロードキャストすることであって、第１のビーム掃引パターンの、各々のビームは、ビームインデックス番号を有し、第２のビーム掃引パターンは、第１のビーム掃引パターンと関連付けられる、ブロードキャストすることを行うように設定される。
【０１０９】
図８は、クライアントデバイス８００であって、そのクライアントデバイスが関連付けられるネットワークノードからブロードキャストされるメッセージを受信するように設定される、クライアントデバイス８００を概略的に提示する。クライアントデバイスは、プロセッサ８０２またはプロセッサモジュールと、メモリ８０４またはメモリモジュールとを含む。メモリ８０４またはメモリモジュールは、前記プロセッサ８０２またはプロセッサモジュールにより実行可能な命令を含み、したがって、前記クライアントデバイスは、第１のビームインデックス番号を有するビームにおいて、第１のビーム掃引パターンを使用してネットワークノードによりブロードキャストされる第１のメッセージを受信するように動作する。クライアントデバイスはさらには、第１のビーム掃引パターンと、第２のビーム掃引パターンとの間の関連付けに関する情報を取得することであって、その第２のビーム掃引パターンによって、第２のメッセージがネットワークノードによりブロードキャストされることになる、取得することを行うように動作可能である。クライアントデバイスはさらには、第２のメッセージが、第２のビーム掃引パターンを使用してネットワークノードによりブロードキャストされると予想すべきときの、第２のビームインデックス番号を決定することを、第１のビームインデックス番号、および、関連付けに関する取得される情報に基づいて行うように動作可能である。加えてクライアントデバイスは、決定される第２のビームインデックス番号において送信されるような第２のメッセージを受信するように動作可能である。
【０１１０】
クライアントデバイス８００はさらには、別のビームインデックス番号を有する別のビームにおいて、第１のビーム掃引パターンを使用してネットワークノードによりブロードキャストされる第１のメッセージを受信することと、前記受信される別のビームの信号強度、および、第１のビームインデックス番号を有する受信されるビームの信号強度を検出することと、第１のビームインデックス番号を有するビーム、および、前記別のビームインデックス番号を有するビームの中で、信号強度が最も高いビームを、第１のビームインデックス番号を有するビームとして指示することとを行うように動作可能であり得る。
【０１１１】
クライアントデバイス８００はさらには、第１のビーム掃引パターンと、第２のビーム掃引パターンとの間のオフセットを取得するように動作可能であり得る。
【０１１２】
クライアントデバイス８００はさらには、クライアントデバイスがアタッチされるネットワークノードから設定を取得すること、あらかじめ規定されることによりオフセットを取得すること、および、あらかじめ規定されたルールによって導出されることにより取得すること、の１つにより、オフセットを取得するように動作可能であり得る。
【０１１３】
クライアントデバイス８００はさらには、ビームであって、それらのビームにおいて、第１のメッセージが、第１のビーム掃引パターンを使用して送信される、ビームの数を取得することと、第２のビームインデックス番号を、ビームの数に基づいて決定することとを行うように動作可能であり得る。
【０１１４】
クライアントデバイス８００はさらには、関連付けに関する取得される情報がオフセットを含む場合、第２のビームインデックス番号を決定することを、第１のビームインデックス番号とオフセットとの合計を計算することにより行うように動作可能であり得る。
【０１１５】
クライアントデバイス８００はさらには、第２のビームインデックス番号を決定することを、第１のメッセージの送信で使用されるビームの数にさらに基づいて行うように動作可能であり得る。
【０１１６】
クライアントデバイス８００はさらには、第２のビームインデックス番号を決定することを、第１のビームインデックス番号とオフセットとの合計を計算することにより行うことと、取得される合計の、第１のメッセージの送信で使用されるビームの数のモジュラス（modulus）を計算することとを行うように動作可能であり得る。
【０１１７】
クライアントデバイス８００はさらには、第２のビームインデックス番号と、第１のビームインデックス番号との間の１対１対応関係を取得するように動作可能であり得る。
【０１１８】
クライアントデバイス８００はさらには、第２のビームインデックス番号を決定することであって、第２のビームインデックス番号と、第１のビームインデックス番号との間の１対１対応関係を使用することであって、第１のビームインデックス番号を、１対１対応関係への入力データとして有することによる、使用することを行って行う、決定することと、１対１対応関係から、第１のビームインデックス番号に対応する第２のビームインデックス番号を抽出することとを行うように動作可能であり得る。
【０１１９】
クライアントデバイス８００により受信されるビームであって、第１のビームインデックス番号を有するビームは、第１のビーム掃引パターンのビームのグループを含む複合ビームを含み得る。
【０１２０】
クライアントデバイス８００により受信されるビームであって、第２のビームインデックス番号を有するビームは、第２のビーム掃引パターンのビームのグループを含む複合ビームを含み得る。
【０１２１】
本開示はさらには、少なくとも１つのプロセッサまたはプロセッサモジュール上で実行されるときに、クライアントデバイスの、少なくとも１つのプロセッサまたはプロセッサモジュールが、先程説明された方法を実行させる、命令を含む、コンピュータプログラムを含む。
【０１２２】
図９は、クライアントデバイス９００であって、そのクライアントデバイスが関連付けられるネットワークノードからブロードキャストされるメッセージを受信するように設定される、クライアントデバイス９００を提示する。クライアントデバイスは、受信ユニット／モジュール９０２と、取得ユニット／モジュール９０４と、決定ユニット／モジュール９０６とを含む。受信ユニット／モジュール９０２は、第１のビームインデックス番号を有するビームにおいて、第１のビーム掃引パターンを使用してネットワークノードによりブロードキャストされる第１のメッセージを受信するように適合されている。取得ユニット／モジュール９０４は、第１のビーム掃引パターンと、第２のビーム掃引パターンとの間の関連付けに関する情報を取得することであって、その第２のビーム掃引パターンによって、第２のメッセージがネットワークノードによりブロードキャストされることになる、取得することを行うように適合されている。決定ユニット／モジュール９０６は、第２のメッセージが、第２のビーム掃引パターンを使用してネットワークノードによりブロードキャストされると予想すべきときの、第２のビームインデックス番号を決定することを、第１のビームインデックス番号、および、関連付けに関する取得される情報に基づいて行うように適合されている。加えて受信ユニット／モジュールは、決定される第２のビームインデックス番号において送信されるような第２のメッセージを受信するように適合されている。クライアントデバイスは、ＵＥであり得る。
【０１２３】
本例示的な実施形態の実施形態は、クライアントデバイスの電力効率が、ブロードキャストメッセージの監視に対して、以前の監視方法と比較して改善されるという利点を有する。
【０１２４】
略称
ＡＮ  アクセスノード
ＡＰ  アクセスポイント
ｄＢ  デシベル
ＤＬ  ダウンリンク
ＧＨｚ  ギガヘルツ
ＲＡＮ  無線アクセスネットワーク
ＲＡＴ  無線アクセスタイプ
ＵＤＮ  超高密度ネットワーク
ＵＥ  ユーザ機器
【図１】
0006590944.tif 000002
【図２】
0006590944.tif 000003
【図３】
0006590944.tif 000004
【図４】
0006590944.tif 000005
【図５Ａ−Ｃ】
0006590944.tif 000006
【図６】
0006590944.tif 000007
【図７】
0006590944.tif 000008
【図８】
0006590944.tif 000009
【図９】
0006590944.tif 000010